(57)【要約】【課題】  テキスト情報の取り扱い困難なシステムにおいても、該テキスト情報の取り扱いを可能とする。【解決手段】  ユーザＡの携帯電話機１ａで、所望のメッセージに対応するテキスト情報を二次元コード化した画像情報である二次元コード画像情報を形成し、この二次元コード画像情報を、当該携帯電話機１ａに対して固有に付されているユニークＩＤと共にメディアレンダラ２に送信する。メディアレンダラ２は、この携帯電話機１ａから送信されたユニークＩＤに基づいて、当該二次元コード画像情報を送信したユーザを認識し、各ユーザ毎に、二次元コード画像情報を表示部５上に一覧表示する。この一覧表示された二次元コード画像情報は、ユーザＢの携帯電話機１ｂのカメラ機能で読み取られ解析されることで、該二次元コード画像情報に対応するテキスト情報が復元される。そして、この復元されたテキスト情報が、当該携帯電話機１ｂの表示部に表示される。【選択図】  図１
2008263385.tif 000002
【特許請求の範囲】
【請求項１】
テキスト情報を二次元コード化した画像情報である二次元コード画像情報を形成する二次元コード画像形成手段と、上記二次元コード画像形成手段で形成された二次元コード画像情報を、固有に付された識別情報と共に、有線的或いは無線的に送信する送信手段とを備えた複数の第１の携帯端末装置と、
上記各第１の携帯端末装置から送信された上記二次元コード画像情報及び上記識別情報をそれぞれ受信する受信手段と、上記受信手段で受信された上記各二次元コード画像情報を、該各二次元コード画像情報と共に受信された上記各識別情報に基づいて、上記各第１の携帯端末装置毎にそれぞれ分別して一覧的に表示部に表示制御する表示制御手段とを備えた表示装置と、
上記表示装置の表示部に表示された上記各二次元コード画像情報のうち、所望の二次元コード画像情報を読み取るための読み取り手段と、上記読み取り手段で読み取られた上記二次元コード画像情報を解析することで、当該二次元コード画像情報に対応するテキスト情報を復元して表示部に表示するテキスト情報復元手段とを備えた第２の携帯端末装置と
を有する表示システム。
【請求項２】
請求項１に記載の表示システムであって、
上記表示装置は、
上記受信手段で受信された上記二次元コード画像情報を解析することで、当該二次元コード画像情報に対応するテキスト情報を復元するテキスト情報復元手段と、
上記受信手段で受信された上記二次元コード画像情報を表示部に表示する際に、当該二次元コード画像情報をそのまま表示するコード表示モード、及び上記テキスト情報復元手段により上記二次元コード画像情報から復元されたテキスト情報を表示するテキスト表示モードのうち、いずれかの表示モードを選択するための表示モード選択手段と
を有し、
上記表示装置の上記表示制御手段は、
上記表示モード選択手段により、上記コード表示モードが選択されている場合は、上記受信手段で受信された上記二次元コード画像情報をそのまま上記表示部に表示制御し、上記テキスト表示モードが選択されている場合は、上記テキスト情報復元手段により上記二次元コード画像情報から復元されたテキスト情報を上記表示部に表示制御すること
を特徴とする表示システム。
【請求項３】
請求項２に記載の表示システムであって、
上記表示装置は、
所定のネットワーク上に存在するサーバ装置と通信するためのネットワーク接続手段を有し、上記復元表示モードで動作した際に、上記テキスト情報復元手段で復元された上記テキスト情報にＵＲＬ情報（URL：Uniform Resource Locator）が含まれていた場合、自動的、或いはユーザから指示がなされた際に、上記ネットワーク接続手段を介して上記ＵＲＬ情報に対応するサーバ装置にアクセスし、該サーバ装置から取り込んだ情報を上記表示部に表示すること
を特徴とする表示システム。
【請求項４】
請求項１から請求項３のうち、いずれか一項に記載の表示システムであって、
上記第２の携帯端末装置は、
所定のネットワーク上に存在するサーバ装置と通信するためのネットワーク接続手段を有し、
上記テキスト情報復元手段で復元されたテキスト情報にＵＲＬ情報（URL：Uniform Resource Locator）が含まれていた場合、自動的、或いはユーザから指示がなされた際に、上記ネットワーク接続手段を介して上記ＵＲＬ情報に対応するサーバ装置にアクセスし、該サーバ装置から取り込んだ情報を上記表示部に表示すること
を特徴とする表示システム。
【発明の詳細な説明】
【技術分野】
【０００１】
本発明は、テキスト情報を二次元コード化した画像情報として取り扱うことにより、テキスト情報を取り扱うことが困難なシステムでも、該テキスト情報の取り扱いを可能とした表示システムに関する。
【背景技術】
【０００２】
特開２００４−１４７００６号の公開特許公報（特許文献１）に、簡単に携帯端末間で情報の送受信を行うことを目的とした情報送信方法が開示されている。この情報送信方法の場合、送信側となる携帯端末が、送信データを２次元コードに変換して表示部に表示する。受信側となる携帯端末は、上記送信側となる携帯端末の表示部に表示された２次元コードをカメラ部で読み取り、当該２次元コードに対応する上記送信データを復元する。そして、この復元した送信データを当該受信側となる携帯端末の表示部に表示する。これにより、赤外線通信や電子メールを用いて携帯端末間で情報を送受信するよりも、簡単に携帯端末間で情報の送受信を行うことができる。
【０００３】
ここで、近年において、動画像、音楽、静止画像の各コンテンツを、ホームネットワークを介して相互に接続されたオーディオ／ビジュアル機器、モバイル機器、パーソナルコンピュータ装置等の異なる機器間で共有可能とするための技術的なガイドラインであるデジタルリビングネットワークアライアンスガイドライン（＝ＤＬＮＡガイドライン、DLNA：Digital Living Network Alliance：登録商標）が知られている。このＤＬＮＡガイドラインに準拠した機器同士であれば、特別な設定を必要とすることなく、相互接続してコンテンツの共有が可能となる。
【０００４】
【特許文献１】特開２００４−１４７００６号公報（第４頁、図１、図４）
【発明の開示】
【発明が解決しようとする課題】
【０００５】
しかし、ＤＬＮＡガイドラインは、動画像、音楽、静止画像の各コンテンツの取り扱いを前提としている。このため、ＤＬＮＡガイドラインに準拠した機器同士において、テキスト情報を取り扱うことが困難となる問題があった。
【０００６】
本発明は、上述の課題に鑑みてなされたものであり、上記ＤＬＮＡガイドラインに準拠したシステムのように、テキスト情報を取り扱うことが困難なシステムにおいても、該テキスト情報の取り扱いを可能とすることができるような表示システムの提供を目的とする。
【課題を解決するための手段】
【０００７】
本発明に係る表示システムは、上述の課題を解決するための手段として、
テキスト情報を二次元コード化した画像情報である二次元コード画像情報を形成する二次元コード画像形成手段と、上記二次元コード画像形成手段で形成された二次元コード画像情報を、固有に付された識別情報と共に、有線的或いは無線的に送信する送信手段とを備えた複数の第１の携帯端末装置と、
上記各第１の携帯端末装置から送信された上記二次元コード画像情報及び上記識別情報をそれぞれ受信する受信手段と、上記受信手段で受信された上記各二次元コード画像情報を、該各二次元コード画像情報と共に受信された上記各識別情報に基づいて、上記各第１の携帯端末装置毎にそれぞれ分別して一覧的に表示部に表示制御する表示制御手段とを備えた表示装置と、
上記表示装置の表示部に表示された上記各二次元コード画像情報のうち、所望の二次元コード画像情報を読み取るための読み取り手段と、上記読み取り手段で読み取られた上記二次元コード画像情報を解析することで、当該二次元コード画像情報に対応するテキスト情報を復元して表示部に表示するテキスト情報復元手段とを備えた第２の携帯端末装置と
を有する。
【０００８】
このような本発明に係る表示システムにおいては、第１の携帯端末装置が、テキスト情報を二次元コード化した画像情報である二次元コード画像情報を形成し、この二次元コード画像情報を、当該第１の携帯端末装置に対して固有に付されている識別情報と共に表示装置に送信する。
【０００９】
表示装置は、各第１の携帯端末装置から送信された二次元コード画像情報及び識別情報をそれぞれ受信し、該各識別情報に基づいて、各二次元コード画像情報を各第１の携帯端末装置毎にそれぞれ分別して一覧的に表示部に表示する。
【００１０】
第２の携帯端末装置は、上記表示装置の表示部に表示された各二次元コード画像情報のうち、所望の二次元コード画像情報を読み取り、この二次元コード画像情報に対応するテキスト情報を復元して表示部に表示する。
【００１１】
テキスト情報を二次元コード化した画像情報（＝二次元コード画像情報）で取り扱うようにしているため、テキスト情報を取り扱うことが困難なシステムにおいても、該テキスト情報の取り扱いを可能とすることができる。
【発明の効果】
【００１２】
本発明は、テキスト情報を取り扱うことが困難なシステムにおいても、該テキスト情報の取り扱いを可能とすることができる。
【発明を実施するための最良の形態】
【００１３】
本発明は、電子コルクボードシステムに適用することができる。
【００１４】
［ＤＬＮＡガイドラインの概要］
この本発明の実施の形態となる電子コルクボードシステムは、デジタル・リビング・ネットワーク・アライアンス・ガイドライン（＝ＤＬＮＡガイドライン、DLNA：Digital Living Network Alliance：登録商標）に準拠した各機器で構成されている。
【００１５】
ＤＬＮＡガイドライン ｖ１では、デバイスモデルとしてＤＭＳ(Digital Media Server)とＤＭＰ（Digital Media Player）という２つのモデルが定義されている。ＤＭＳはＵＰｎＰ（Universal Plug and Play：登録商標）のメディアサーバが内蔵されたサーバ用のデバイスモデル、ＤＭＰはメディアクライアントとコントロールポイントと呼ばれるユーザが操作するソフトウェアが内蔵されたクライアント用のデバイスモデルとなっている。ＤＭＳとＤＭＰの各機能をどの機器に持たせるかは自由となっており、両方の機能を１台の機器に持たせることも可能となっている。
【００１６】
ＤＬＮＡガイドライン ｖ１．１では、これらに加え、ＤＭＣ(Digital Media Controller)、ＤＭＲ(Digital Media Renderer)、ＤＭＰｒ(Digital Media Printer)の３つのデバイスモデルが新たに定義されている。ＤＭＣはコントロールポイントだけを独立させたデバイスモデルで、ＤＭＲはユーザインターフェイスを持たない再生プレーヤのデバイスモデルとなっている。これにより、リモートコントローラ機能のみを有するＤＬＮＡガイドライン対応デバイスや、ＤＭＣによりコントロールされ、再生だけを行うＤＬＮＡガイドライン対応デバイス等を実現可能となっている。
【００１７】
ＤＬＮＡガイドラインでは、ネットワークとしてイーサネット（Ethernet：登録商標）、或いは無線ＬＡＮ（LAN：Local Area Network）を、通信プロトコルとしてＴＣＰ／ＩＰ（Transmission Control Protocol/Internet Protocol）を、アドレスの動的割り当てにＤＨＣＰ（Dynamic Host Configuration Protocol）やオートＩＰをそれぞれ用いるように規定されている。また、ＤＬＮＡガイドラインでは、コンテンツの送受信にＨＴＴＰ（HyperText Transfer Protocol）を、ＤＭＳ機器とＤＭＰ機器との間のメッセージの記述にはＸＭＬ（Extensible Markup Language）を、利用可能なサーバの検索やコンテンツ一覧の取得にはＵＰｎＰ（Universal Plug and Play：登録商標）を、それぞれ用いるように規定されている。
【００１８】
また、ＤＬＮＡガイドラインでは、リニアＰＣＭ（Linear Pulse Code Modulation）、ＭＰ３（MPEG-1 Audio Layer-3）、ＡＡＣ（Advanced Audio Coding）、ＡＴＲＡＣ３Ｐｌｕｓ（登録商標、ATRAC：Adaptive TRansform Acoustic Coding）、ＷＭＡ（登録商標、Windows Media Audio）等の音声コンテンツ、ＪＰＥＧ（Joint Photographic Experts Group）の静止画コンテンツ、ＭＰＥＧ−２（Moving Picture Experts Group phase 2）の動画コンテンツは、必ず取り扱い可能とするように規定されている。
【００１９】
［システム構成及びシステムの概要］
この実施の形態となる電子コルクボードシステムは、このようなＤＬＮＡガイドラインに準拠して動作する＋ＰＵ＋機能（Push Controller：プッシュコントローラ）を備えた複数の携帯電話機１と、上記ＤＭＲ機能を備えたメディアレンダラ２とを有している。メディアレンダラ２は、ホームネットワーク３（家庭内ＬＡＮ）に接続されており、携帯電話機１は、この家庭内ＬＡＮ３に接続された近距離無線通信のアクセスポイント４（近距離無線通信ＡＰ）を介して、このメディアレンダラ２にアクセスするようになっている。
【００２０】
具体的には、この電子コルクボードシステムの場合、ユーザＡの携帯電話機１ａで、所望のメッセージやＵＲＬ情報（URL：Uniform Resource Locator）等のテキスト情報を二次元コード化することで、該テキスト情報を画像化した二次元コード画像情報を形成し、これを、例えばブルートゥース（Bluetooth：登録商標）等の近距離無線通信により、近距離無線通信ＡＰ４及び家庭内ＬＡＮ３を介してメディアレンダラ２に送信する。メディアレンダラ２は、この二次元コード画像情報を表示部５に表示する。
【００２１】
ユーザＢは、この表示部５に表示された二次元コード画像情報を、携帯電話機１ｂで読み取り、解析することで、この読み取った二次元コード画像情報に対応するテキスト情報を復元して表示部に表示する。これにより、メディアレンダラ２に接続された表示部５を電子コルクボードとして機能させることができ、表示部５に二次元コード化されて貼り付けられたユーザＡの伝言等のメッセージを、ユーザＢが携帯電話機１ｂを介して取得可能とすることができる。
【００２２】
また、携帯電話機１ｂは、復元したテキスト情報にＵＲＬ情報が含まれていた場合、このＵＲＬ情報に基づいて、基地局６を介して、当該携帯電話機１ｂの通信業者のコミュニケーションネットワーク７上、或いはインターネット８上に存在するサーバ装置９にアクセスし、該ＵＲＬ情報に対応する情報を自動的に取り込んで表示する。
【００２３】
また、メディアレンダラ２は、二次元コード画像情報をそのまま表示する「コード表示モード」、及び二次元コード画像情報から復元されたテキスト情報を表示する「テキスト表示モード」を選択可能となっており、「コード表示モード」が選択されている場合は、携帯電話機１ａから取り込んだ二次元コード画像情報をそのまま表示し、「テキスト表示モード」が選択されている場合は、携帯電話機１ａから取り込んだ二次元コード画像情報を復元したテキスト情報を表示するようになっている。そして、メディアレンダラ２は、「テキスト表示モード」が選択されている場合において、復元したテキスト情報にＵＲＬ情報が含まれている場合、このＵＲＬ情報に基づいて上記サーバ装置９にアクセスし、該ＵＲＬ情報に対応する情報を自動的に取り込んで表示部５に表示するようになっている。
【００２４】
このような動作を実現するために、メディアレンダラ２は、携帯電話機１ａから近距離無線送信される二次元コード画像情報を受信する通信部１１と、通信部１１で取り込んだ二次元コード画像情報を解析してテキスト情報を復元すテキスト情報復元部１２とを有している。
【００２５】
また、このメディアレンダラ２は、上述のＤＬＮＡガイドラインで規定されているＤＭＲ機能を実現するためのＤＭＲプログラムやＷｅｂブラウジングプログラム等が記憶されたメモリ１３と、上記「コード表示モード」及び「テキスト表示モード」のうち、ユーザにより選択された表示モードを示す表示モード切替情報を記憶する表示モード切替情報メモリ１４と、表示モード切替情報メモリ１４に記憶されている表示モード切替情報に基づいて、上記「コード表示モード」或いは「テキスト表示モード」での表示制御等を行う他、当該メディアレンダラ２全体の動作を制御する制御部１５とを有している。
【００２６】
一方、携帯電話機１（１ａ及び１ｂ）は、上述の動作を実現するために、図２に示すようにメモリ３３に、ＤＬＮＡガイドラインで規定されている＋ＰＵ＋機能を実現するための＋ＰＵ＋プログラム、Ｗｅｂブラウジングプログラム、及び二次元コード画像情報の解析及び復元を行うためのメッセージ処理プログラム等を有している。
【００２７】
この他、携帯電話機１は、上記基地局６との間で音声通話、テレビ電話通話、電子メール、Ｗｅｂデータ（Web：World Wide Web）等の無線通信を行うアンテナ２１及び通信回路２２と、受話音声等を出力するためのスピーカ部２３と、送話音声等を集音するマイクロホン部２４と、上記二次元コード画像情報から復元されたテキスト情報やＷｅｂページ等を表示するための表示部２５と、所望のメッセージ等の入力操作、所望のメニューの選択操作等を行うための操作部２６とを有している。
【００２８】
また、この携帯電話機１は、発着信等を光で知らせるための発光部２７（LED：Light Emitting Diode）と、所望の被写体の動画像或いは静止画像の他、メディアレンダラ２により表示部５に表示された二次元コード画像情報を撮像するためのカメラ部２８と、当該携帯電話機１の筐体を振動させて発着信等を知らせるためのバイブレーションユニット２９と、時刻をカウントするタイマ３０と、上記近距離無線通信ＡＰ４との間で近距離無線通信を行うための近距離無線通信アンテナ３１及び近距離無線通信部３２と、コミュニケーションプログラムや各種アプリケーションプログラムの他、これら各アプリケーションプログラムで取り扱われる各種データ（コンテンツ）等が記憶されたメモリ３３と、当該携帯電話機全体の動作を制御する制御部３４とを有している。
【００２９】
メモリ３３には、上記＋ＰＵ＋プログラム、Ｗｅｂブラウジングプログラム、及びメッセージ処理プログラムの他、上記基地局６を介した無線通信処理、及び上記近距離無線通信部３２を介して近距離無線通信を行うための通信処理プログラム（コミュニケーションプログラム）、カメラ部８の撮像制御を行うカメラ制御プログラムと、コミュニケーションネットワーク７やインターネット８等の所定のネットワーク上に設けられたサーバ装置９上で公開されているＷｅｂページを閲覧するためのＷｅｂブラウジングプログラムと、電子メールの作成や送受信を制御するための電子メール管理プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラムとが記憶されている。
【００３０】
また、メモリ３３には、ユーザの所望のスケジュールが登録されるスケジュール帳と、ユーザの知人や友人等の静止画像、電話番号、電子メールアドレス、誕生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴等が記憶されている。
【００３１】
［システム動作］
次に、このような構成を有する当該実施の形態の電子コルクボードシステムのシステム動作を説明する。
【００３２】
まず、携帯電話機１ａのユーザが所望のメッセージの貼り付けを行う場合、図２に示す操作部２６を介して所望のメッセージの入力操作を行うと共に、このメッセージの二次元コード変換操作を行う。なお、上記メッセージの他、所望のＵＲＬ情報が存在する場合は、このＵＲＬ情報の入力操作も行う。
【００３３】
携帯電話機１ａの制御部３４は、上記メッセージ等の入力がなされ、二次元コードへの変換操作を検出すると、メモリ３３に記憶されているメッセージ処理プログラムに基づいて、上記入力されたメッセージ（及びＵＲＬ情報等）を二次元コード化した画像情報である二次元コード画像情報に変換する。そして、制御部３４は、この二次元コード画像情報を、ＤＭＲプログラムに基づくＵＰｎＰ Ａ／Ｖ（UPnP Audio and Video＝ＤＬＮＡの一部）の通信プロトコルを用いて、当該携帯電話機１ａを一義的に識別可能な識別情報（ユニークＩＤ）と共に、近距離無線通信部３２及び近距離無線通信アンテナ３１を介して近距離無線送信する。
【００３４】
なお、上記携帯電話機１ａを一義的に識別可能な識別情報としては、一例ではあるがＵＰｎＰ Ａ／Ｖの通信プロトコルにおいて、各機器に対してそれぞれ固有となるように割り当てられるＵＤＮ情報（UDN：Unique Device Name）を送信してもよいし、各携帯電話機１の電話番号や機器識別情報等を送信してもよい。
【００３５】
次に、上記携帯電話機１ａから近距離無線送信された二次元コード画像情報及びユニークＩＤは、近距離無線通信ＡＰ４により受信され、家庭内ＬＡＮ３を介してメディアレンダラ２に転送される。メディアレンダラ２の制御部１５は、メモリ１３に記憶されているＤＭＲプログラムに基づいて、通信部１１を介して、この二次元コード画像情報及びユニークＩＤを受信し、メモリ１３に一旦記憶制御する。
【００３６】
ここで、メディアレンダラ２においては、二次元コード画像情報をそのまま表示する「コード表示モード」、及び二次元コード画像情報から復元されたテキスト情報を表示する「テキスト表示モード」のうち、いずれかの表示モードを選択可能となっている。具体的には、ユーザが、例えば当該メディアレンダラ２のリモートコントローラ装置を操作することで、上記表示モードの選択操作を行うと、このユーザにより選択された表示モードを示す表示モード切替情報が表示モード切替情報メモリ１４に記憶される。
【００３７】
制御部１５は、上記二次元コード画像情報等をメモリ１３に一旦記憶制御すると、表示モード切替情報メモリ１４に記憶されている表示モード切替情報に基づいて、ユーザにより選択されている表示モードを認識する。そして、制御部１５は、この認識した表示モードに従って、二次元コード画像情報或いは二次元コード画像情報を復元したテキスト情報を表示部５に表示する。
【００３８】
〔コード表示モード〕
具体的には、ユーザにより「コード表示モード」が選択されている場合は、メモリ１３に一旦記憶制御した上記二次元コード画像情報を、当該二次元コード画像情報と共に送信された上記ユニークＩＤに基づいて分別し、当該二次元コード画像情報の受信日時に従って昇順或いは降順に表示部５に表示する。
【００３９】
制御部１５は、上記二次元コード画像情報を受信する毎に、このようなユニークＩＤに基づく分別表示を繰り返し行う。これにより、表示部５には、各ユニークＩＤ毎に、該各ユニークＩＤに対応する二次元コード画像情報が一覧的に表示されることとなる。
【００４０】
図３に、「コード表示モード」時における表示例を示す。この図３は、当該電子コルクボードシステムを利用するユーザＡ〜ユーザＤの計４人のユーザが、該各ユーザの携帯電話機のユニークＩＤ及びユーザ名をメディアレンダラ２に予め登録していた場合の表示例である。この図３からわかるように、「コード表示モード」が選択されている場合、制御部１５は、その二次元コード画像情報を送信した携帯電話機のユーザを、当該二次元コード画像情報と共に送信されたユニークＩＤに基づいて認識し、各ユーザ毎に区分けした表示部５上の表示欄のうち、上記認識したユーザに対応する表示欄に、該二次元コード画像情報をそのまま表示する。これにより、メディアレンダラ２の表示部５上に、各ユーザからのメッセージの存在が示されることとなる。
【００４１】
次に、このように表示部５上に表示された二次元コード画像情報は、他のユーザの携帯電話機により読み取られ、当該二次元コード画像情報に対応するメッセージやＵＲＬ情報等のテキスト情報が解析及び復元されて、該携帯電話機の表示部２５に表示される。具体的には、図１に示す携帯電話機１ｂで、この二次元コード画像情報の読み取りを行うとすると、この携帯電話機１ｂのユーザＢは、操作部２６を介して二次元コード画像情報の読み取り指定操作を行う。
【００４２】
制御部３４は、この二次元コード画像情報の読み取り指定操作を検出すると、メモリ３３に記憶されているカメラ制御プログラムに基づいてカメラ部２８を起動制御する。ユーザＢは、この起動制御されたカメラ部２８を用いて、メディアレンダラ２の表示部５に表示されている二次元コード画像情報のうち、所望の二次元コード画像情報を撮像操作する。これにより、カメラ部２８で、ユーザＢにより選択された二次元コード画像情報が撮像されることとなる。
【００４３】
次に、制御部３４は、このカメラ部２８で撮像された二次元コード画像情報を取り込み、メモリ３３に記憶されているメッセージ処理プログラムに基づいて、該取り込んだ二次元コード画像情報の解析し、該二次元コード画像情報に対応するテキスト情報（メッセージ）を復元する。そして、この復元したテキスト情報を、当該携帯電話機１ｂの表示部２５に表示制御する。これにより、ユーザＢは、当該携帯電話機１ｂの表示部２５を介して、上記選択した所望の二次元コード画像情報に対応するメッセージを見ることができる。
【００４４】
（ＵＲＬ情報に基づくアクセス動作）
ここで、上記復元した二次元コード画像情報にＵＲＬ情報が含まれていた場合、制御部３４は、このＵＲＬ情報も当該携帯電話機１ｂの表示部２５に表示する。ユーザＢは、このＵＲＬ情報に対応するＷｅｂページにアクセスする場合、操作部２６を介して、このＵＲＬ情報の選択操作及びアクセス指示操作を行う。制御部３４は、アクセス指示操作を検出すると、メモリ３３に記憶されているＷｅｂブラウジングプログラムに基づいて、ユーザにより選択されたＵＲＬ情報に対応するサーバ装置９にアクセスし、Ｗｅｂページの情報の取り込みを行う。そして、このＷｅｂページの情報を、当該携帯電話機１ｂの表示部２５に表示制御する。これにより、メディアレンダラ２の表示部５から読み取った二次元コード画像情報に対応するメッセージと共に、該二次元コード画像情報に含まれるＵＲＬ情報に対応するＷｅｂページの情報を閲覧可能とすることができる。
【００４５】
なお、この例では、復元した二次元コード画像情報にＵＲＬ情報が含まれていた場合、制御部３４は、ユーザのアクセス指示操作を待って、該ＵＲＬ情報に対応するサーバ装置９にアクセスすることとしたが、復元した二次元コード画像情報にＵＲＬ情報が含まれていた場合、制御部３４は、該ＵＲＬ情報に対応するサーバ装置９に対して自動的にアクセスしてＷｅｂページの取り込みを行うようにしてもよい。
【００４６】
〔テキスト表示モード〕
一方、上記表示モードとして、ユーザにより「テキスト表示モード」が選択されている場合、メディアレンダラ２の制御部１５は、メモリ１３に一旦記憶制御した上記二次元コード画像情報の解析、及び該二次元コード画像情報に対応するテキスト情報の復元を行うようにテキスト情報復元部１２を制御する。そして、制御部１３は、このテキスト情報復元部１２で復元されたテキスト情報を、上記二次元コード画像情報と共に送信された上記ユニークＩＤに基づいて分別し、当該テキスト情報に対応する二次元コード画像情報の受信日時に従って昇順或いは降順に表示部５に表示する。制御部１５は、上記二次元コード画像情報を受信する毎に、このような解析／復元制御とユニークＩＤに基づく分別表示を繰り返し行う。これにより、表示部５には、各ユニークＩＤ毎に、該各ユニークＩＤに対応するテキスト情報が一覧的に表示されることとなる。
【００４７】
図４に、「テキスト表示モード」時における表示例を示す。この図４は、当該電子コルクボードシステムを利用するユーザＡ〜ユーザＤの計４人のユーザが、該各ユーザの携帯電話機のユニークＩＤ及びユーザ名をメディアレンダラ２に予め登録していた場合の表示例である。この図４からわかるように、「テキスト表示モード」が選択されている場合、制御部１５は、その二次元コード画像情報を送信した携帯電話機のユーザを、当該二次元コード画像情報と共に送信されたユニークＩＤに基づいて認識し、各ユーザ毎に区分けした表示部５上の表示欄のうち、上記認識したユーザに対応する表示欄に、該二次元コード画像情報を解析及び復元することで形成したテキスト情報（メッセージ）を表示する。
【００４８】
これにより、メディアレンダラ２の表示部５上に、各ユーザからのメッセージがそれぞれ一覧的に表示されることとなる。従って、携帯電話機で二次元コード画像情報を読み取って解析／復元するような面倒な操作を行うことなく、メディアレンダラ２の表示部５上でメッセージを閲覧することができる。
【００４９】
（ＵＲＬ情報に基づくアクセス動作）
ここで、メディアレンダラ２の制御部１５は、上記復元した二次元コード画像情報にＵＲＬ情報が含まれていた場合、メモリ１３に記憶されているＷｅｂブラウジングプログラムに基づいて通信部１１を通信制御することで、このＵＲＬ情報に対応するサーバ装置９にアクセスし、Ｗｅｂページの情報を自動的に取り込む。そして、この自動的に取り込んだＷｅｂページの情報を、上記メッセージと共に当該メディアレンダラ２の表示部５に表示制御する。これにより、図５に例示するように、テキスト情報のメッセージと共に、該テキスト情報に含まれるＵＲＬ情報に対応するＷｅｂページの情報を閲覧可能とすることができる。
【００５０】
なお、この例では、復元した二次元コード画像情報にＵＲＬ情報が含まれていた場合、メディアレンダラ２の制御部１５は、当該ＵＲＬ情報に対応するサーバ装置９に対して自動的にアクセスしてＷｅｂページの取り込みを行うこととしたが、該制御部１５は、ユーザのアクセス指示操作を待って、該ＵＲＬ情報に対応するサーバ装置９にアクセスしてＷｅｂページの取り込みを行うようにしてもよい。
【００５１】
［実施の形態の効果］
以上の説明から明らかなように、当該実施の形態の電子コルクボードシステムのシステムは、ユーザＡの携帯電話機１ａで、所望のメッセージに対応するテキスト情報を二次元コード化した画像情報である二次元コード画像情報を形成し、この二次元コード画像情報を、当該携帯電話機１ａに対して固有に付されているユニークＩＤと共にメディアレンダラ２に送信する。
【００５２】
メディアレンダラ２は、この携帯電話機１ａから送信された二次元コード画像情報及びユニークＩＤを受信し、該ユニークＩＤに基づいて、当該二次元コード画像情報を送信したユーザを認識する。そして、「コード表示モード」が選択されている場合は、この認識したユーザの表示欄に、上記受信した二次元コード画像情報を一覧的に表示する。このメディアレンダラ２により表示された二次元コード画像情報は、ユーザＢの携帯電話機１ｂのカメラ機能で読み取られ、解析及び復元されることで、該二次元コード画像情報に対応するテキスト情報となる上記メッセージが、当該携帯電話機１ｂの表示部２５に表示される。
【００５３】
これに対して、「テキスト表示モード」が選択されている場合、メディアレンダラ２は、上記受信した二次元コード画像情報を解析することでテキスト情報となる上記メッセージを復元し、このメッセージを上記認識したユーザの表示欄に一覧的に表示する。
【００５４】
これにより、テキスト情報を二次元コード化した画像情報（＝二次元コード画像情報）で取り扱うようにしているため、例えばＤＬＮＡガイドラインに準拠したシステムのように、テキスト情報を取り扱うことが困難なシステムにおいても、該テキスト情報の取り扱いを可能とすることができる。
【００５５】
［変形例］
上述の各実施の形態の説明では、本発明に対して携帯電話機を用いることとしたが、この携帯電話機の他、ＰＨＳ電話機（PHS：Personal Handyphone System）、ＰＤＡ装置（PDA：Personal Digital Assistant）、ノート型のパーソナルコンピュータ装置等の携帯機器を用いてもよい。いずれの場合でも、上述と同じ効果を得ることができる。
【００５６】
最後に、上述の実施の形態の説明は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【図面の簡単な説明】
【００５７】
【図１】本発明を適用した実施の形態となる電子コルクボードシステムのシステム構成を示す図である。
【図２】実施の形態の電子コルクボードシステムで用いられる携帯電話機のブロック図である。
【図３】実施の形態の電子コルクボードシステムにおけるコード表示モード時の表示例を示す図である。
【図４】実施の形態の電子コルクボードシステムにおけるテキスト表示モード時の表示例を示す図である。
【図５】実施の形態の電子コルクボードシステムのＷｅｂページの表示例を示す図である。
【符号の説明】
【００５８】
１  携帯電話機、１ａ  ユーザＡの携帯電話機、１ｂ  ユーザＢの携帯電話機、２  メディアレンダラ、３  ホームネットワーク（家庭内ＬＡＮ）、４  近距離無線通信ＡＰ、５  メディアレンダラの表示部、６  携帯電話機の基地局、７  携帯電話機の通信事業者のコミュニケーションネットワーク、８  インターネット、９  サーバ装置  ２１  携帯電話機のアンテナ、２２  通信回路、２３  スピーカ部、２４  マイクロホン部、２５  表示部、２６  操作部、２７  発光部（ＬＥＤ）、２８  カメラ部、２９  バイブレーションユニット、３０  タイマ、３１  近距離無線通信アンテナ、３２  近距離無線通信部、３３  メモリ、３４  制御部
【図１】
2008263385.tif 000003
【図２】
2008263385.tif 000004
【図３】
2008263385.tif 000005
【図４】
2008263385.tif 000006
【図５】
2008263385.tif 000007